(57)【要約】【課題】  外観におけるデザイン自由度が高いスタンド構造を有する電子機器を提供すること。【解決手段】  スタンド板５の開閉を、スライド動作と開閉動作の２段階で行なう。スタンド板５が開く場合、まず、スタンド板５の開閉スライドカム５ｂがバネ８のロック部８ａ−１に当接しながらスライドすることで、ロック部８ａ−１を超えてロックが解除されるとともに、スタンド板５の回転スライド軸５ａがバッテリカバー７の案内溝７ａに案内されて案内溝７ａの一端７ａ−１までスライドする。次に、上記案内溝７ａに係合した回転スライド軸５ａが案内溝７ａの一端７ａ−１を中心に回転するとともに、開閉スライドカム５ｂがバネ８のスタンド板付勢部８ａに当接しながら回転することで、スタンド板付勢部８ａに回転力を付勢されて、開いた状態になる。これにより、スタンド板５は、閉じた場合には背面４の一部として一体化するため、デザイン自由度が向上する。【選択図】  図１１
2006108302.tif 000002
【特許請求の範囲】
【請求項１】
スライド及び開閉が可能なスタンド板を背面側に有し、内部に電子部品を有する筐体と、
前記スタンド板をスライドさせることで、該スタンド板が前記背面の一部となるように該スタンド板をロックするとともに前記ロックを解除するロック部を有し、前記ロックが解除された場合に前記スタンド板を開閉させる開閉力を付勢する付勢部材と
を具備することを特徴とする電子機器。
【請求項２】
請求項１に記載の電子機器であって、
バッテリと、
前記バッテリを覆い、かつ、前記ロック時に該スタンド板に覆われるバッテリカバーと、
前記ロック時に前記スタンド板に覆われるとともに前記ロック解除時に露出し、前記バッテリカバーを前記筐体に固定するためのネジと
を更に具備することを特徴とする電子機器。
【請求項３】
請求項１に記載の電子機器であって、
前記筐体は、
前記スタンド板が開いた場合に露出し、前記電子部品を冷却するための空気を流通させるための流通口を有することを特徴とする電子機器。
【請求項４】
請求項３に記載の電子機器であって、
前記スタンド板の開閉に応じて前記電子部品に掛かる処理負荷を可変するスイッチ機構を更に具備することを特徴とする電子機器。
【請求項５】
請求項２に記載の電子機器であって、
前記背面側に、前記バッテリカバーとの間に空間を形成するように設けられ、該電子機器を外部接続させるコネクタと、
前記付勢部材により開閉力を与えられることで前記背面側に開閉可能に設けられ、閉じた場合に前記ロック時のスタンド板とともに前記背面の一部を形成しながら前記コネクタを覆い、開いた場合に前記空間に入り込むことで前記コネクタを露出させるコネクタカバーと
を更に具備することを特徴とする電子機器。
【発明の詳細な説明】
【技術分野】
【０００１】
本発明は、本体を支持することが可能なスタンド板を有する電子機器に関する。
【背景技術】
【０００２】
従来から、電子機器を机等に置いて使用する際に、当該電子機器本体を支持するために用いられる収納式のスタンドとしては、例えば、携帯型テレビの背面にハンドル状に設けられ、同じく背面にスタンドと係合するように設けられた凹部の端部と軸を介して回転させることにより不使用時には当該凹部に収納し、使用時には当該凹部から引き出すようにしたスタンドが知られている（例えば、非特許文献１参照）。  
【非特許文献１】ソニー株式会社ホームページ、［平成１６年９月２９日検索］ＵＲＬ<http://www.sony.jp/products/Consumer/airboard/IDT-LF3/parts.html>
【発明の開示】
【発明が解決しようとする課題】
【０００３】
しかしながら、上述のスタンドは、収納時でもスタンドとしての形状や上記回転のための回転軸付近に設けられたクリアランス等がそのまま電子機器の外観に露出するため、外観におけるデザインの自由度が低い構造となっていた。
【０００４】
以上のような事情に鑑み、本発明の目的は、外観におけるデザイン自由度が高いスタンド構造を有する電子機器を提供することにある。
【課題を解決するための手段】
【０００５】
上述の課題を解決するため、本発明の電子機器は、スライド及び開閉が可能なスタンド板を背面側に有し、内部に電子部品を有する筐体と、前記スタンド板をスライドさせることで、該スタンド板が前記背面の一部となるように該スタンド板をロックするとともに前記ロックを解除するロック部を有し、前記ロックが解除された場合に前記スタンド板を開閉させる開閉力を付勢する付勢部材とを具備する。
【０００６】
本発明では、上記スタンド板の不使用時には、スライド動作と上記付勢部材のロック機構とにより、当該スタンド板が上記筐体の背面の一部となるようにロックされて背面と一体化するため、不使用時にはスタンド板が目立たず、外観におけるデザイン自由度が向上する。また、上記スタンド板を開閉させる際には上記付勢部材が開閉力を付勢するため、ユーザはスタンド板を容易に開閉することができる。
【０００７】
なお、上記電子機器としては、例えば携帯型のＨＤＤ（Hard Disk Drive）動画再生装置、ＰＤＡ（Personal Digital Assistance）、携帯型テレビ、携帯電話、ＰＣ（Personal Computer）やその他の電化製品が挙げられる。また上記付勢部材は例えばバネである。
【０００８】
本発明の一の形態によれば、上記電子機器は、バッテリと、前記バッテリを覆い、かつ、前記ロック時に該スタンド板に覆われるバッテリカバーと、前記ロック時に前記スタンド板に覆われるとともに前記ロック解除時に露出し、前記バッテリカバーを前記筐体に固定するためのネジとを更に具備する。上記バッテリは、例えばユーザがバッテリを交換または廃棄する際には、上記ネジを緩めてバッテリカバーを筐体から取り外すことで取り出されることになるが、スタンド板のロック時には上記ビスがスタンド板に覆われるため、デザイン性を向上させることができるともに、ロック解除時にはビスが露出してバッテリカバーを取り外すことが可能となるため、メンテナンス性も維持することができる。
【０００９】
本発明の一の形態によれば、前記筐体は、前記スタンド板が開いた場合に露出し、前記電子部品を冷却するための空気を流通させるための流通口を有する。これにより、スタンド板が開いた場合、すなわちスタンドの使用時には上記流通口が露出するため、スタンド板の使用と同時に上記電子部品の効率的な放熱が可能となる。
【００１０】
本発明の一の形態によれば、前記スタンド板の開閉に応じて前記電子部品に掛かる処理負荷を可変するスイッチ機構を更に具備する。これにより、例えば上記スタンド板が開いて放熱効果が高い場合には上記電子部品に対して負荷が高い処理を行わせる等、スタンド板が開いた場合における上記放熱効果を有効活用することができる。
【００１１】
本発明の一の形態によれば、前記背面側に、前記バッテリカバーとの間に空間を形成するように設けられ、該電子機器を外部接続させるコネクタと、前記付勢部材により開閉力を与えられることで前記背面側に開閉可能に設けられ、閉じた場合に前記ロック時のスタンド板とともに前記背面の一部を形成しながら前記コネクタを覆い、開いた場合に前記空間に入り込むことで前記コネクタを露出させるコネクタカバーとを更に具備する。これにより、開いた場合に当該空間に入り込むようなコネクタカバーを設けたことで、上記バッテリカバーとコネクタとの間の空間を有効活用することができ、かつ、当該コネクタカバーの開閉力を上記付勢部材が付勢するようにしたことで、上記スタンド板のスライド及び開閉と、コネクタカバーの開閉を一つの部材で行なうことが可能となるため、当該電子機器の部品数を減らし、製造コストを削減することが可能となる。
【発明の効果】
【００１２】
本発明によれば、外観におけるデザイン自由度が高いスタンド構造を有する電子機器を提供することができる。
【発明を実施するための最良の形態】
【００１３】
以下、本発明の実施の形態を図面に基づき説明する。本実施形態においては、電子機器としてＨＤＤ動画再生装置を適用した場合について説明する。当該ＨＤＤ動画再生装置は、例えばＰＣから転送された動画ストリームをＨＤＤに保存し、保存した動画ストリームをＨＤＤから呼び出して再生することが可能な装置である。
【００１４】
（第１の実施形態）  
まず、本発明の第１の実施形態について説明する。図１は、本実施形態におけるＨＤＤ動画再生装置１００の外観を示した斜視図、図２は同じくＨＤＤ動画再生装置１００を背面から示した斜視図である。
【００１５】
図１に示すように、ＨＤＤ動画再生装置１００は、片手で持てる程度のサイズの筐体１を有する。筐体１の正面側には、表示部としてバックライト付きのＬＣＤ（liquid Crystal Display）２と、プッシュボタン等からなる操作部３とが設けられている。
【００１６】
ＬＣＤ２は、再生される動画や当該動画を選択するためのメニュー画面等を表示する。操作部３は、動画の再生や停止、早送りや巻戻し、音声ボリュームの増減等を行なったり、メニューを選択したりする場合のコマンドを入力する。また、図示しないが、例えば筐体１の側面には、ＤＣ電源接続のためのＤＣＩＮジャック、ＵＳＢ（Universal Serial Bus）接続のためのＵＳＢコネクタ、ＡＶ出力用のＡＶＯＵＴジャック、主電源のＯＮ／ＯＦＦ操作のためのＰＷＲキー等が設けられている。
【００１７】
また、図２に示すように、ＨＤＤ動画再生装置１００の背面には、当該ＨＤＤ動画再生装置１００を机や床に載置して動画を鑑賞したりする場合に筐体１を支持するためのスタンド板５と、ＨＤＤ動画再生装置１００のバッテリの充電を行なう際に当該ＨＤＤ動画再生装置１００を例えば充電用のクレードルに接続するためのコネクタを覆うコネクタカバー６が設けられている。スタンド板５及びコネクタカバー６は、背面４から開閉可能となっている。同図はスタンド板５及びコネクタカバー６が閉じた状態を示しており、閉じた状態においては背面４の一部として一体化するようになっている。
【００１８】
図３は、スタンド板５を開いた状態のＨＤＤ動画再生装置１００を背面側から示した斜視図である。同図に示すように、スタンド板５は、その上辺側を軸として回動することで開き、ＨＤＤ動画再生装置１００を机や床に載置することが可能となる。開いた状態においては、筐体１が接地面に対して傾くように設定されている。当該傾きは、ユーザがＬＣＤ２を見やすいような角度に設定される。また、スタンド板５を開いた状態においては、筐体１に収容されるバッテリを覆うためのバッテリカバー７が露出するようになっている。
【００１９】
図４は、上記スタンド板５が閉じた状態におけるスタンド板５、コネクタカバー６及びバッテリカバー７を示した斜視図である。また図６は、スタンド板５の背面側からの外観を示した斜視図であり、図７は、バッテリカバー７の外観を示した斜視図であり、図８は、コネクタカバー６の外観を示した斜視図である。
【００２０】
図４に示すように、本実施形態においてはスタンド板５、コネクタカバー６及びバッテリカバー７及びバッテリカバー７に設置された例えば金属性のバネ８が一のアセンブリとして構成されている。スタンド板５は、矢印Ａ方向へのスライド動作及び矢印Ｂ方向への開閉動作が可能となっている。スタンド板５は、閉じた状態においてはバッテリカバー７を覆うように形成されている。バネ８は、スタンド板５及びコネクタカバー６と当接して、スタンド板５のスライド動作や開閉動作、及びコネクタカバー６の開閉動作を補助する。
【００２１】
図５は、バネ８の外観を示した斜視図である。
【００２２】
スタンド板付勢部８ａはバネ８の略中央部に設けられ、バネ力を有し、スタンド板５のカム５ｂと当接することで、スタンド板５の開閉動作時にバネ力により開閉力を付勢する部分である（図４参照）。また当該スタンド板付勢部８ａには山なり形状のロック部８ａ−１が設けられ、スタンド板５が閉じた状態でスライド動作した場合に、スタンド板５のカム５ｄと当接しながらスタンド板５を背面４にロックする役目を果たす。上記図４は、スタンド板５が同図矢印Ａの左側方向へスライドし、ロックされた状態を示しており、同図矢印右側へスライドすることによりロックが解除される。
【００２３】
設置穴８ｄ及び突起８ｅは、バッテリカバー７の一端部の両側のバネ載置部７ｄに設けられた突起７ｄ−２及び設置穴７ｄ−３とそれぞれ係合させてバネ８をバッテリカバー７に設置するための部分である（図４及び図７参照）。
【００２４】
図６及び図７に示すように、スタンド板５の一端部には、回転スライド軸５ａ及び開閉スライドカム５ｂが設けられている。回転スライド軸５ａは、バッテリカバー７の一端部の両側に設けられた案内溝７ａの溝の一端７ａ−１に係合することで、スタンド板５の開閉時の回転軸となるとともに、スタンド板５のスライド動作時には当該案内溝７ａに案内される。また開閉スライドカム５ｂは、バネ８の上記スタンド板付勢部８ａと当接する部分であり、スタンド板５の開閉動作時にはスタンド板付勢部８ａのバネ力に抗して回転することで、スタンド板付勢部８ａから開閉力（回転力）を付勢される。また、この開閉スライドカム５ｂは、スタンド板のスライド動作時には、上記ロック部８ａ−１の前後を当接しながら上記図４の矢印Ａの左側方向へスライドすることによりロック部８ａ−１にロックされる。
【００２５】
スタンド板５の他端部の両側には、ロック爪５ｃがそれぞれ設けられている。これらのロック爪５ｃは、スタンド板５が上記図４の矢印Ａの左側方向へスライドする場合に、バッテリカバー７のスタンド開きロック部７ｂと係合することで、上記バネ８のロック部８ａ−１により上記開閉スライドカム５ｂがロックされるのと同時にロックされ、スタンド板５が開くのを防止する。
【００２６】
スタンド板５の一端部の両側には、上記ロック爪５ｃに対応するように、スライドロック突起５ｄが設けられている。これらのスライドロック突起５ｄは、同じくスタンド板５が上記図４の矢印Ａの左側方向へスライドする場合に、バッテリカバー７の一端の両側に上記スタンド開きロック部７ｂと対応するように設けられたスタンドスライドロック部７ｃと当接しながらスライドすることで、上記バネ８のロック部８ａ−１により上記開閉スライドカム５ｂがロックされるのと同時にロックされる。
【００２７】
バッテリカバー７の一端部両側には、コネクタカバー軸穴７ｅが設けられており、コネクタカバー６の両端部に設けられた回転軸６ａと係合することで、コネクタカバー６の開閉時の回転動作を行なわせる。また、バネ８の一端部にはコネクタカバー付勢部８ｂが設けられ、コネクタカバー６の両端部に上記回転軸６ａとともに設けられた開閉カム６ｂと当接して、バネ力によりコネクタカバー６の開閉動作時の開閉力（回転力）を付勢する。上記図４はコネクタカバー６が閉じた状態を示しており、矢印Ｃの下方向に回転することで開くことができる（図４、図５、図７及び図８参照）。
【００２８】
また、バネ８にはネジ穴８ｃが、バッテリカバー７の上記バネ載置部７ｄにはネジ穴７ｄ−１がそれぞれ設けられている。これらのネジ穴８ｃ、７ｄ−１を介して、上記図４に示すネジ９が筐体１に取り付けられることにより、スタンド板５、コネクタカバー６、バッテリカバー７及びバネ８で構成されるアセンブリが筐体１に取り付けられることになる（図４、図５及び図７参照）。
【００２９】
図９は、ＨＤＤ動画再生装置１００の長手方向の断面を示した斜視図であり、図１０は、同じくＨＤＤ動画再生装置１００の長手方向の断面を右側面側から示した図である。両図は、コネクタカバー６が開いた状態を示している。
【００３０】
同図に示すように、バッテリカバー７の下方にはバッテリ１０が設けられており、コネクタカバー６の下方にはコネクタ１１が設けられている。バッテリ１０は例えば２個の円筒形状の充電式リチウムイオンバッテリからなる。充電する場合には、コネクタカバー６を開いてコネクタ１１を露出させ、コネクタ１１を介して後述のクレードルに接続することで充電を行う。
【００３１】
バッテリカバー７は、バッテリ１０の円筒形状の曲面に合わせて曲面上に形成されている。またコネクタ１１は、その性質上、ＨＤＤ動画再生装置１００の背面４に鉛直方向に形成される。従って、図１０に示すように、当該バッテリカバー７とコネクタ１１との間には、空間１２が形成される。そして、コネクタカバー６を、閉じた場合に当該空間１２に入り込むように設計することで、当該空間１２を有効活用してデッドスペースを無くすようにしている。
【００３２】
次に、以上のように構成されたＨＤＤ動画再生装置１００の動作について説明する。
【００３３】
まず、スタンド板５の動作について説明する。図１１（ａ）に示す状態からスタンド板５を同図矢印Ａの方向へスライドさせると、スタンド板５の開閉スライドカム５ｂがバネ８のロック部８ａ−１に当接しながらバネ力に抗してスライドすることで、同図（ｂ）に示すように、ロック部８ａ−１を超えてロックが解除されるとともに、バッテリカバー７の案内溝７ａに係合したスタンド板５の回転スライド軸５ａが当該案内溝７ａに案内されて案内溝７ａの一端７ａ−１までスライドする。ロック部８ａ−１により、ユーザはクリック感を伴いながらロックを解除することができる。
【００３４】
そして、同図（ｂ）に示すようなスライドさせた状態から、ユーザがスタンド板５に矢印Ｂに示す方向へ力を加えると、上記案内溝７ａに係合した回転スライド軸５ａが案内溝７ａの一端７ａ−１を中心に回転するとともに、開閉スライドカム５ｂがバネ８のスタンド板付勢部８ａに当接しながらバネ力に抗して回転することで、スタンド板付勢部８ａに回転力を付勢されて、同図（ｃ）に示すように開いた状態になる。スタンド板付勢部８ａの付勢力により、ユーザは、撥ね上げ感を伴いながらスタンド板５を開くことができる。
【００３５】
次に、コネクタカバー６の動作について説明する。同図（ａ）に示す状態からコネクタカバー６を矢印Ｃの方向へ回転させると、コネクタカバー６の回転軸６ａがバッテリカバー７のコネクタカバー軸穴７ｅと係合して回転するとともに、開閉カム６ｂがバネ８のコネクタカバー付勢部８ｂに当接しながらバネ力に抗して回転することで、当該コネクタカバー付勢部８ｂに回転力が付勢され、同図（ｂ）に示すように略９０度回転する。この場合も、コネクタカバー付勢部８ｂにより、ユーザはクリック間を伴いながらコネクタカバー６を開くことができる。
【００３６】
また、スタンド板５とコネクタカバー６の開閉動作をバネ８という同一部材により行なっているため、ＨＤＤ動画再生装置１００の部品数を減少させることができ、製造コストの削減にも繋がる。なお、同図（ｃ）に示すような、コネクタカバー６が開いた状態のみならず、コネクタカバー６が閉じた状態でもスタンド板５の開閉は可能である。
【００３７】
スタンド板５を閉じてロックし、またコネクタカバー６を閉じる場合には、上記とは逆の動作を行なえばよい。この場合、スタンド板付勢部８ａにより、ユーザは引き込み感を伴いながらスタンド板５を閉じることができ、ロック部８ａ−１により、クリック感を伴いながらスタンド板５をロックすることができる。また、コネクタカバー付勢部８ｂにより、クリック感を伴いながらコネクタカバー６を閉じることができる。なお、上述したように、ロック時にはスタンド板５は上記背面４一部として背面４と一体的に固定される。
【００３８】
図１２は、スタンド板５をスライドさせてロックを解除した場合のＨＤＤ動画再生装置１００の背面図である。同図に示すように、スタンド板５をスライドさせてロックを解除した場合には、背面４から上記ネジ９が露出するようになっている。
【００３９】
通常、本実施形態のＨＤＤ動画再生装置１００のような電子機器の外観をデザインする場合には、極力ネジを外観面に露出させたくないものであるが、バッテリを寿命により交換したり、廃棄したりする場合には、ユーザはネジを取り外してバッテリカバーを開け、バッテリを取り出す必要があるため、例えばネジを隠すためにネジ隠しゴムのような部材を用いたり、爪留め構造にしたりすると、ネジを取り外しにくく、メンテナンス性が低下してしまう。そこで、本実施形態のように、スタンド板５をスライドさせた場合にのみネジ９を露出させて、ユーザがバッテリカバー７及びバッテリ１０を容易に取り外すことができる構造とすることで、デザイン性とメンテナンス性の両立を図ることができる。
【００４０】
図１３は、スタンド板５を開いた状態におけるＨＤＤ動画再生装置１００の背面４を示した斜視図である。同図に示すように、スタンド板５を開いた状態においては、スタンド板５の２つの開閉スライドカム５ｂ及びバネ８付近にそれぞれ筐体１の内部に通じる吸気口１３が現れる。筐体１の内部には、図示しないＩＣ集積回路やＨＤＤ等の電子部品が収容されており、上記吸気口１３は、それらの電子部品を冷却するための外気を取り込むことができる。すなわち、スタンド板５を開いた場合には、スタンド板５によりＨＤＤ動画再生装置１００を机や床等に載置することができると同時に、上記電子部品を効率的に放熱することが可能となる。
【００４１】
また、本実施形態においては、スタンド板５の回転スライド軸５ａがバッテリカバー７の案内溝７ａを外側から抱き込む形で係合しており、またスタンド板５及びバッテリカバー７はそれ自体ある程度の弾力性を有する樹脂で出来ているため、スタンド板５が開いた状態でＨＤＤ動画再生装置１００に対して過剰な力が掛かった場合には、上記弾力性及び上記回転スライド軸５ａの破断力により、回転スライド軸５ａは壊れる（折れる）ことなくバッテリカバー７から外れる。外れた回転スライド軸５ａは、容易にはめ込むことが可能である。従って、ＨＤＤ動画再生装置１００の耐久性とともにユーザの利便性も向上させることができる。
【００４２】
次に、上記バッテリ１０の充電時にコネクタ１１を接続するクレードルについて説明する。図１４は、本実施形態におけるクレードル１４の正面側の斜視図、図１５は、クレードル１４の背面側の斜視図をそれぞれ示しており、図１６は、ＨＤＤ動画再生装置１００をクレードル１４に装着した場合の正面側の斜視図、図１７は、ＨＤＤ動画再生装置１００をクレードル１４に装着した場合の背面側の斜視図をそれぞれ示している。
【００４３】
図１４及び図１５に示すように、クレードル１４の正面側には、ＨＤＤ動画再生装置１００のコネクタ１１を差し込むためのコネクタ差込口１４ａが設けられており、またクレードル１４の背面側下部には、例えばＵＳＢケーブルやクレードル１４と電源を接続するためのケーブル等を接続するための外部接続端子群１４ｂが設けられている。
【００４４】
図１６及び図１７に示すように、ＨＤＤ動画再生装置１００のコネクタ１１をクレードル１４のコネクタ差込口１４ａに差し込むことでＨＤＤ動画再生装置１００はクレードル１４に筐体１の正面側を表にして斜めに載置され、ＨＤＤ動画再生装置１００のコネクタ差込口１４ａ及びコネクタ１１を介してバッテリ１０に充電が行なわれる。
【００４５】
図１８は、コネクタ１１を露出させた場合の背面４を示した図である。同図に示すように、ＨＤＤ動画再生装置１００をクレードル１４に装着して充電を行なう場合には、上記図１１等で説明したようにコネクタカバー６を開き、コネクタ１１を露出させ、露出させた状態で、上記図１６及び図１７のようにコネクタ１１がコネクタ差込口１４ａに差し込まれるようにＨＤＤ動画再生装置１００をクレードル１４に装着する。
【００４６】
以上説明したように、本実施形態によれば、上記バネ８等により、スタンド板５に開閉動作のみならずスライド動作も行なわせることで、開閉に必要な回転スライド軸５ａ等の部材を、スタンド板５が閉じた状態においては外観面に露出させずに済み、また開閉のためのクリアランスを無くしてスタンド板５を背面４と一体的に形成できるため、外観におけるデザイン自由度が高いスタンド構造を有するＨＤＤ動画再生装置を提供することができる。
【００４７】
（第２の実施形態）  
次に、本発明の第２の実施形態について説明する。本実施形態においても、電子機器としてＨＤＤ動画再生装置１００を適用する。ＨＤＤ動画再生装置１００が上記第１の実施形態おける構造と同様となる部分については同一の符号を付し、説明を省略または簡略化する。
【００４８】
上記第１の実施形態において述べたように、スタンド板５を開いた状態においては吸気口１３が現れ、筐体１内部の電子部品を効率的に放熱することが可能となる。すなわち、スタンド板５を開いてＨＤＤ動画再生装置１００を机や床に載置した場合には、動画再生時等に電子部品に掛かる処理負荷を軽減させることができる。そこで、本実施形態においては、当該放熱効果を有効活用して、スタンド板５の開閉に応じて上記電子部品に掛かる処理負荷を可変として、スタンド板５が開いた場合には、より負荷の高い処理を行わせるようにしている。以下、そのための構成及び動作について説明する。
【００４９】
まず、本実施形態におけるＨＤＤ動画再生装置１００の電気的構成について説明する。図１９は、当該電気的構成を示したブロック図である。
【００５０】
同図において、システムコントローラ６１には、操作部３の操作、ＰＷＲキー６２の操作、ＡＣ（交流）電源の接続（ＡＣ検出）６３、リセットＩＣ６４の出力、バッテリ１０の電圧、温度センサー６６等の監視を行い、監視結果に応じた処理を実行する。リセットＩＣ６４はリセットＳＷ６７が操作されたときにリセット操作信号を発生するＩＣである。
【００５１】
システムコントローラ６１は、ＣＰＵ（Central Processing Unit）７１、ＲＡＭ（Random Access Memory）７２、ＲＯＭ（Read Only Memory）７３、Ａ／Ｄ変換回路７４、シリアルＰＷＭ（Pulse Width Modulation）制御回路７５等で構成され、これらはバス７６を通じて接続されている。ＣＰＵ７１はＲＯＭ７３に記憶されているファームウェアによりＲＡＭ７２を作業領域に用いて各種の演算処理と制御を実行する。ファームウェアとして、例えばシステム起動のためのプログラム、起動時のチェックサムを実行するプログラム等がＲＯＭ７３に記憶されている。Ａ／Ｄ変換回路７４は、上記した操作部３の操作、ＰＷＲキー６２の操作、ＡＣ電源の接続（ＡＣ検出）６３、リセットＩＣ６４の出力、バッテリ１０の電圧、温度センサー６６等の監視結果であるアナログ値をデジタル値に変換する部分である。シリアルＰＷＭ制御回路７５はヘッドフォン８１のミュート制御、ＬＣＤ２のバックライト８２の輝度を制御するＰＷＭ信号をインバータ８３に供給する。
【００５２】
システムコントローラ６１が、ＰＷＲキー６２が押されたことを検知すると、バッテリ１０から、電源回路６８によりシステムに電力が投入され、システムの起動処理を行い、ＨＤＤ動画再生装置１００が有する各デバイスを動作可能な状態に初期設定する。また、パワーオン表示部５１を点灯するように制御を行う。システム稼動中にＰＷＲキー６２が押されたことを検知した場合にはシステムの終了処理を行い、電源回路６８によりシステムへの電力供給を切断する。
【００５３】
システムコントローラ６１はリセットＩＣ６４よりリセット操作信号を受信すると、システムをリセット処理すなわち終了処理に続いて起動処理を行う。
【００５４】
システムコントローラ６１はＡＣ電源の接続（ＡＣ検出）６３を検知すると電源回路６８の制御を行い、バッテリ１０の充電制御を行う。電源回路６８はその近傍に配置された温度センサー６９の出力に基づき、例えば設定温度以上の高温が検出された場合に自動的にオフするようになっている。
【００５５】
システムコントローラ６１はバッテリ電圧の監視結果に基づいてバッテリ１０の残量を計算して画面上のバッテリ残量表示を制御する。
【００５６】
システムコントローラ６１は温度センサー６６の出力に基づいて冷却ファン２５の回転数を制御する。すなわち、温度に対して比例的に冷却能力を高めるように制御する。
【００５７】
また、システムコントローラ６１は、操作部３のキー操作を監視して、操作されたキーの種類に応じたイベント処理を行う。
【００５８】
ＵＳＢ端子８５が接続されたＵＳＢブリッジ８６、ＨＤＤ２４、ＤＭＡ（Direct Memory Access）転送回路８７はＩＤＥ（Integrated Drive Electronics）バス８８を通じて相互に接続されており、ＵＳＢ端子８５に接続された図示しないＰＣ（Personal Computer）から転送された動画ストリーム等のデータはＵＳＢブリッジ８６からＩＤＥバス８８を通じてＨＤＤ２４に記録されるようになっている。
【００５９】
ＤＭＡ転送回路８７は、ＨＤＤ２４から読み出されたデータをＭＰＥＧ（Moving Picture Coding Experts Group）２デコーダ８９に転送する回路である。ＩＤＥバス８８から抽出されたデータはバッファメモリ９５に転送される。
【００６０】
このＨＤＤ２４からバッファメモリ９５へのデータ転送において、システムコントローラ６１はＤＭＡ転送回路８７に出力するＡＴＡコマンドの発行タイミングを制御して、ＨＤＤ２４からのデータの読み出しが間欠的に行われるようにしている。具体的には、例えば所定の再生時間分の動画ストリームの単位でＨＤＤ２４からデータを読み出してバッファメモリ９５に転送し、バッファメモリ９５のデータが空になったところで、ＨＤＤ２４から次の再生時間分の動画ストリームを読み出すように、システムコントローラ６１からＤＭＡ転送回路８７に対してＡＴＡコマンドが発行される。これにより、ＨＤＤ２４に対するアクセスは間欠的に行われることになり、ＨＤＤ２４の発熱量の低減及び消費電力の低減を図ることができる。
【００６１】
バッファメモリ９５に蓄積された動画等のデータは、バッファメモリ９５に所定の再生時間分の動画ストリームが蓄積されたところでＤＭＡ転送回路８７によって読み出され、ＤＭＡ転送回路８７とＭＰＥＧ２デコーダ８９とを接続するＤＭＡ伝送路９７を通じてＭＰＥＧ２デコーダ８９に転送される。ＭＰＥＧ２デコーダ８９は、ＭＰＥＧ２で符号化された動画ストリームをハードウェアで復号する回路である。ＳＤＲＡＭ９８はこのＭＰＥＧ２デコーダ８９の作業領域として用いられるランダムアクセス可能なメモリである。
【００６２】
ＭＰＥＧ２デコーダ８９の出力のうち動画データはＬＣＤコントローラ９９に送られ、このＬＣＤコントローラ９９によってＬＣＤ２の駆動が制御されることによって動画の再生が行われる。一方、ＭＰＥＧ２デコーダ８９より出力された音声データはＤ／Ａコンバータ１０１によってアナログ信号に変換された後、ヘッドフォン端子１０８に接続されたヘッドフォンに送られる。また、ＡＶＯＵＴ端子１０２には外部のテレビジョン等が接続できるようになっており、ＡＶＯＵＴ端子１０２に外部のテレビジョンが接続されているときには、Ｄ／Ａコンバータ１０１のアナログ信号はリニアアンプ１０３にて必要なレベルに増幅されるようになっている。
【００６３】
また、ＤＭＡ転送回路８７は、システムコントローラ６１及びフラッシュＲＯＭ１０４が接続されているバス１０５との間で通信を行う。フラッシュＲＯＭ１０４には、読み出し専用のデータとして、ＬＣＤ２に表示される設定画面等に関するデータ、ＯＳＤ（On Screen Display）に関するフォントや画像のデータ、その他ＭＰＥＧ２デコーダ８９及びＤＭＡ転送回路８７のマイクロコード、そのマイクロコードのバックアップデータ等が格納されている。設定画面等に関するデータとは、ＬＣＤ２の色合い、コントラスト等のデフォルト値のデータである。
【００６４】
また、本実施形態のＨＤＤ動画再生装置１００は、上記システムコントローラ６１に掛かる負荷を切り替えるための負荷切替スイッチ１５を有している。システムコントローラ６１のＣＰＵ７１は、当該負荷切替スイッチ１５から送られる電気信号に応じてＨＤＤ動画再生装置１００の各デバイスに係る処理負荷を可変として、動画再生時の各種処理のモードを切り替えることが可能である。
【００６５】
負荷切替スイッチ１５は、例えば、上記バネ８とスタンド板５の開閉スライドカム５ｂとにそれぞれ設けられた電極により構成することができる。図２０は、本実施形態におけるバネ８を示した図である。同図に示すように、本実施形態におけるバネ８のスタンド板付勢部８ａには、絶縁体８ｇを介して電極８ｆが設けられている。また、図示しないが、開閉スライドカム５ｂにも電極５ｂ−１が設けられている。なお、バネ８が絶縁性の樹脂等でなる場合は、絶縁体８ｇは必要ない。
【００６６】
スタンド板５がスライドして開く場合には、開閉スライドカム５ｂがロック部８ａ−１を超えて電極８ｆの位置までスライドし、当該電極８ｆと開閉スライドカム５ｂの電極５ｂ−１とが接触して、通電することで、負荷切替スイッチがＯＮとなる。
【００６７】
負荷切替スイッチがＯＮになった場合には、電気信号がシステムコントローラ６１のＣＰＵ７１等に伝えられ、ＣＰＵ７１は自身またはその他の各デバイスに係る処理負荷を高くするように切り替える。
【００６８】
当該負荷切替スイッチ１５によって負荷を切り替えられる処理としては、例えば、ＬＣＤ２への動画等の表示処理が挙げられる。具体的には、スタンド板５が開いて、上記負荷切替スイッチがＯＮになった場合には、ＣＰＵ７１は、ＭＰＥＧ２デコーダ８９のビットレートを上げるように指示する。これにより、スタンド板５が開いた場合には高画質モードでＬＣＤ２に動画を表示させることができる。
【００６９】
また、負荷切替スイッチ１５のＯＮ／ＯＦＦによって、ＬＣＤ２の応答速度を可変とするようにしてもよい。すなわち、スタンド板５が開いて、負荷切替スイッチがＯＮになった場合には、ＣＰＵ７１は、ＬＣＤ２に応答速度を上げるように指示する。これにより、スタンド板５が開いた場合には、動画のシーンが頻繁に切り替わっても残像が少なく、ユーザにとってより見やすく快適な表示が可能となる。
【００７０】
このように、上記負荷切替スイッチ１５を設けることで、スタンド板５が開いた場合には、ＨＤＤ動画再生装置１００を机や床に載置可能となるだけでなく、上記放熱効果を有効活用して、ＣＰＵ７１により高い負荷が掛かる処理を行わせることができる。
【００７１】
なお、上記負荷切替スイッチ１５は、バネ８と開閉スライドカム５ｂに電極を設ける態様以外にも、例えば、マグネットと、磁場の変化を検出可能なホール素子とで構成することもできる。この場合、例えば背面４のスタンド板５に近い部分にホール素子を、またスタンド板の回転スライド軸５ａ付近にマグネットを設けて、ホール素子が、自身とマグネットとの距離によりスタンド板５の開閉（スライド）を検出できるようにして、スタンド板５が開いたことを検出した場合に負荷切替スイッチをＯＮとして、当該ＯＮの電気信号を受け取ったＣＰＵ７１等がＭＰＥＧ２デコーダ８９やＬＣＤ２等の各デバイスに係る負荷を切り替えるように指示する。
【００７２】
なお、本発明は、上述の実施形態にのみ限定されるものではなく、本発明の要旨を逸脱しない範囲内において種々変更を加え得ることは勿論である。
【００７３】
上述の２つの実施形態においては、電子機器としてＨＤＤ動画再生装置を適用していたが、それ以外にも、例えばＰＤＡ、携帯電話等、様々な電子機器を本発明に適用することが可能である。
【００７４】
また、上記コネクタ１１は、充電用のクレードル以外にも、例えばＵＳＢ接続端子等の他の接続用のコネクタとして構成してもよい。
【図面の簡単な説明】
【００７５】
【図１】ＨＤＤ動画再生装置１００の外観を示した斜視図である。
【図２】ＨＤＤ動画再生装置１００を背面から示した斜視図である。
【図３】スタンド板５を開いた状態におけるＨＤＤ動画再生装置１００を背面側から示した斜視図である。
【図４】スタンド板５が閉じた状態におけるスタンド板５、コネクタカバー６及びバッテリカバー７を示した斜視図である。
【図５】バネ８の外観を示した斜視図である。
【図６】スタンド板５の背面側からの外観を示した斜視図である。
【図７】バッテリカバー７の外観を示した斜視図である。
【図８】コネクタカバー６の外観を示した斜視図である。
【図９】ＨＤＤ動画再生装置１００の長手方向の断面を示した斜視図である。
【図１０】ＨＤＤ動画再生装置１００の長手方向の断面を、右側面側から示した図である。
【図１１】スタンド板５のスライド動作及び開閉動作、コネクタカバー６の開閉動作を示した図である。
【図１２】スタンド板５をスライドさせてロックを解除した場合のＨＤＤ動画再生装置１００の背面図である。
【図１３】スタンド板５を開いた状態におけるＨＤＤ動画再生装置１００の背面４を示した斜視図である。
【図１４】クレードル１４の正面側の斜視図である。
【図１５】クレードル１４の背面側の斜視図をＨＤＤ動画再生装置１００をクレードル１４に装着した場合の背面側の斜視図である。
【図１６】ＨＤＤ動画再生装置１００をクレードル１４に装着した場合の正面側の斜視図である。
【図１７】ＨＤＤ動画再生装置１００をクレードル１４に装着した場合の背面側の斜視図である。
【図１８】コネクタ１１を露出させた場合の背面４を示した斜視図である。
【図１９】ＨＤＤ動画再生装置１００の電気的構成を示したブロック図である。
【図２０】本発明の第２実施形態におけるバネ８を示した図である。
【符号の説明】
【００７６】
１…筐体
２…ＬＣＤ
３…操作部
４…背面
５…スタンド板
５ａ…回転スライド軸
５ｂ…開閉スライドカム
６…コネクタカバー
６ａ…回転軸
６ｂ…開閉カム
７…バッテリカバー
７ａ…案内溝
８…バネ
８ａ…スタンド板付勢部
８ａ−１…ロック部
８ｂ…コネクタカバー付勢部
９…ネジ
１０…バッテリ
１１…コネクタ
１２…空間
１３…吸気口
１４…クレードル
１００…ＨＤＤ動画再生装置
【図１】
2006108302.tif 000003
【図２】
2006108302.tif 000004
【図３】
2006108302.tif 000005
【図４】
2006108302.tif 000006
【図５】
2006108302.tif 000007
【図６】
2006108302.tif 000008
【図７】
2006108302.tif 000009
【図８】
2006108302.tif 000010
【図９】
2006108302.tif 000011
【図１０】
2006108302.tif 000012
【図１１】
2006108302.tif 000013
【図１２】
2006108302.tif 000014
【図１３】
2006108302.tif 000015
【図１４】
2006108302.tif 000016
【図１５】
2006108302.tif 000017
【図１６】
2006108302.tif 000018
【図１７】
2006108302.tif 000019
【図１８】
2006108302.tif 000020
【図１９】
2006108302.tif 000021
【図２０】
2006108302.tif 000022